(57)【要約】【課題】少なくとも、投入される紙幣を鑑別部２５により鑑別して計数する機能を有する現金処理装置１１において、取引時間を長くすることなく、紙幣の皺によるリジェクトや搬送ジャムの発生を少なくする。【解決手段】紙幣の皺を伸ばすアイロン部２９を備え、リジェクトされた紙幣を前記鑑別部２５により再計数するときに、当該紙幣をアイロン部２９により整形するようにした。或いは、皺によるリジェクトか否かを判定するリジェクト要因判定手段を備え、リジェクトされた紙幣のうち、前記リジェクト要因判定手段によりリジェクトの要因が皺であると判定された紙幣を再計数するときに、当該紙幣をアイロン部２９により整形するようにした。【選択図】図２
2011123549.tif 000002
【特許請求の範囲】
【請求項１】
少なくとも、投入される紙葉類を鑑別手段により鑑別して計数する機能を有する現金処理装置であって、
前記紙葉類を整形する整形手段を備え、
リジェクトされた紙葉類を前記鑑別手段により再計数するときに、当該紙葉類を前記整形手段により整形するようにしたことを特徴とする現金処理装置。
【請求項２】
皺によるリジェクトか否かを判定するリジェクト要因判定手段を備え、
リジェクトされた紙葉類のうち、前記リジェクト要因判定手段によりリジェクトの要因が皺であると判定された紙葉類を、前記鑑別手段により再計数するときに、当該紙葉類を前記整形手段により整形するようにしたことを特徴とする請求項１記載の現金処理装置。
【請求項３】
少なくとも、投入される紙葉類を鑑別手段により鑑別して計数する機能を有する現金処理装置であって、
前記紙葉類を整形する整形手段と、
皺によるリジェクトか否かを判定するリジェクト要因判定手段と、を備え、
前記リジェクト要因判定手段により皺を原因とするリジェクトが発生したと判定したときは、以降計数する紙葉類を前記整形手段により整形するようにしたことを特徴とする現金処理装置。
【請求項４】
少なくとも、投入される紙葉類を鑑別手段により鑑別して計数する機能を有する現金処理装置であって、
前記紙葉類を整形する整形手段と、
紙葉類を整形するか否かを設定する整形有無設定手段と、を備え、
前記整形有無設定手段の設定に基づき、紙葉類を計数するときに前記整形手段により当該紙葉類を整形するようにしたことを特徴とする現金処理装置。
【請求項５】
少なくとも、投入される紙葉類を鑑別手段により鑑別して計数する機能を有する現金処理装置であって、
前記紙葉類を整形する整形手段と、
紙葉類を整形すべき通貨国を設定する国情報設定手段を備え、
前記国情報設定手段により設定した国情報に基づき、前記鑑別手段により鑑別した紙葉類の通貨国が整形すべき国であると判定された時は、以降計数する紙葉類または最初に判定された紙葉類を含めて、前記整形手段により整形するようにしたことを特徴とする現金処理装置。
【請求項６】
少なくとも、投入される紙葉類を鑑別手段により鑑別して計数する機能を有する現金処理装置であって、
前記紙葉類を整形する整形手段と、
紙葉類を整形すべき通貨国を設定する国情報設定手段と、
通貨国を指定する通貨国指定手段と、を備え、
前記通貨国指定手段により指定された通貨国が、前記国情報設定手段の国情報に基づき整形すべき通貨国であったときは、計数する紙葉類を前記整形手段により整形するようにしたことを特徴とする現金処理装置。
【請求項７】
前記通貨国指定手段は、紙葉類を投入する際若しくは装置設置時または保守時に指定できるようにしたことを特徴とする請求項６記載の現金処理装置。
【請求項８】
少なくとも、投入される紙葉類を鑑別手段により鑑別して計数する機能を有する現金処理装置であって、
前記紙葉類を整形する整形手段と、
皺によるリジェクトか否かを判定するリジェクト要因判定手段と、
前記リジェクト要因判定手段により皺が原因でリジェクトしたと判定された紙葉類を一時保留できるリジェクト媒体一時保留部と、を備え、
前記リジェクト媒体一時保留部に紙葉類があるときは、当該紙葉類を前記整形手段により皺を伸ばしながら再計数するようにしたことを特徴とする現金処理装置。
【請求項９】
請求項１ないし請求項８いずれか記載の現金処理装置を制御する制御手段を設けたことを特徴とする現金処理システム。
【発明の詳細な説明】
【技術分野】
【０００１】
本発明は、金融機関等の窓口などに設置されている現金処理機における紙葉類の処理技術に関するものである。
【背景技術】
【０００２】
一般に、窓口現金処理機は、入金、出金、整理計数等の機能を有している。そして、入金の場合は入金口から投入された紙幣を分離し、搬送し、鑑別部にて紙幣を鑑別した後、装置内金庫に収納する。鑑別部にて金種不明等のリジェクト紙幣と鑑別された紙幣や搬送異常と鑑別されたリジェクト紙幣は出金口に搬送される。
【０００３】
出金の場合はオペレータの指示に従い、任意の金種を指定枚数分装置内金庫から繰出し、鑑別部にて紙幣を鑑別した後、出金口へ搬送する。鑑別部で金種不明等のリジェクト紙幣と鑑別された紙幣や搬送異常と鑑別されたリジェクト紙幣は装置内のリジェクト部に搬送される（例えば、特許文献１参照）。
【０００４】
整理計数は入金動作に類似しているが、計数した紙幣を装置内金庫に収納せず、出金口に返却する動作であり、紙幣の金種毎枚数及び金額を確認する動作である。
【先行技術文献】
【特許文献】
【０００５】
【特許文献１】特開２００５−９９８８７号公報
【発明の概要】
【発明が解決しようとする課題】
【０００６】
しかしながら、上記従来の窓口現金処理装置では、折れ皺が多く痛んだ紙幣は鑑別部で金種不明や搬送異常等のリジェクト券と鑑別され、リジェクトされたり、搬送ジャムが発生したりする確率が高い。特に海外の紙幣は財布を使わず、そのまま折りたたんでポケットに入れる等の文化の違いや紙幣の紙質等により、皺が付き易くリジェクトや搬送ジャムが発生し易い。
【０００７】
そして、入金紙幣を出金紙幣に使う運用、すなわちリサイクル運用において上記のような紙幣が入金された場合、入金時に正常券と鑑別されて金庫に収納できても出金時にリジェクト券と鑑別されることが多く、リジェクト部がすぐフルになり、運用に耐えられないという問題があった。
【課題を解決するための手段】
【０００８】
本発明は、前述の課題を解決するため次の構成を採用する。すなわち、少なくとも、投入される紙葉類を鑑別手段により鑑別して計数する機能を有する現金処理装置であって、前記紙葉類を整形する整形手段を具備し、リジェクトされた紙葉類を前記鑑別手段により再計数するときに、当該紙葉類を前記整形手段により整形するようにした。
【発明の効果】
【０００９】
本発明の自動取引装置によれば、少なくとも、投入される紙葉類を鑑別手段により鑑別して計数する機能を有する現金処理装置であって、前記紙葉類を整形する整形手段を具備し、リジェクトされた紙葉類を前記鑑別手段により再計数するときに、当該紙葉類を前記整形手段により整形するようにしたので、皺を伸ばす必要のあるリジェクト紙幣をアイロン部により皺を伸ばすことができ、処理を遅くすることなく、ジャムの発生も少なくすることができる。
【図面の簡単な説明】
【００１０】
【図１】実施例１の窓口現金処理システムの構成例である。
【図２】実施例１の窓口現金処理機の構成図である。
【図３】実施例１の窓口現金処理機の動作フローチャートである。
【図４】実施例１の制御部の画面表示例である。
【図５】実施例１の窓口現金処理機の画面表示例である。
【図６】実施例１の制御部の画面表示例である。
【図７】実施例２の窓口現金処理機の動作フローチャートである。
【図８】実施例３の窓口現金処理機の動作フローチャートである。
【図９】実施例４の窓口現金処理機の動作フローチャットである。
【図１０】実施例４の制御部の取引操作画面例である。
【図１１】実施例５の窓口現金処理機の動作フローチャートである。
【図１２】実施例６の窓口現金処理機の動作フローチャートである。
【図１３】実施例６の窓口現金処理機の国選択画面例である。
【図１４】実施例７の窓口現金処理機の動作フローチャートである。
【図１５】実施例８の窓口現金処理機の構成図である。
【図１６】実施例８の窓口現金処理機の動作フローチャートである。
【発明を実施するための形態】
【００１１】
以下、本発明に係わる実施の形態例を、図面を用いて説明する。なお、図面に共通する要素には同一の符号を付す。
【実施例１】
【００１２】
（構成）
図１は実施例１における窓口現金処理機システムの構成図、図２は窓口現金処理機の構成図である。
【００１３】
まず、窓口現金処理機システムの構成を図１を用いて説明する。１１（１）〜１１（Ｎ）は窓口現金処理機であり、金融機関の窓口に設置されるものである。後述の制御部１２（１）〜１２（Ｎ）からの指示により「入金」、「出金」等の各種取引を行うようになっている。
【００１４】
１２は制御部であり、金融機関の窓口に設置される窓口現金処理機１１にそれぞれ接続された構成となっており、オペレータが入金、出金等の取引を指示するものである。なお、制御部１２（１）〜１２（Ｎ）は、１つの制御部１２とし、複数の窓口現金処理機１１を制御するようにしても勿論よい。
【００１５】
１３はホストコンピュータであり、制御部１２と通信回線１４を介して、各取引の取引電文送受信を行なって取引の成立を判断する。
【００１６】
次に、窓口現金処理機１１の構成を図２を用いて説明する。２１は操作表示部でディスプレイ等の表示部とタッチパネル等の操作部から構成される。前記表示部には入金紙幣の計数結果や出金紙幣の計数結果が表示される。
【００１７】
２２は入金口であり、入金する紙幣をセットすると計数を開始し、後述の一時保留部２４へ搬送する。２３は出金口であり、装置内の金庫から繰出した紙幣が搬送される。
【００１８】
出金時はオペレータが制御部１２により指定した金額が窓口現金処理機１１に通知され、装置内の金庫から繰出して出金口２３に搬送してオペレータに受取らせる。２４は一時保留部であり、入金計数した紙幣を一時的に保存しておく場所である。入金時に、詳細後述の鑑別部２５で正常券と鑑別した紙幣を一時保留部２４に搬送し、計数結果は制御部１２に通知される。
【００１９】
オペレータが制御部１２から、金額確認の操作を行うと制御部１２から窓口現金処理機１１に通知され、一時保留部２４の紙幣を装置内の詳細後述の入出金カセット２６に収納する。
【００２０】
計数結果を確認した後、制御部１２から取引をキャンセルしたい場合は制御部１２から取消すことで一時保留部２４から出金口２３に紙幣を搬送し、オペレータに返却する。２５は鑑別部であり、入金口２２から入金または入出金カセット２６から出金した紙幣を鑑別し、正常券または金種不明等のリジェクト券の判定を行う。
【００２１】
２６は入出金カセットであり、入金紙幣の収納と出金紙幣の繰出しを行う。２７は運用カセットであり、入出金カセット２６がフルで入らない紙幣が搬送される。また、入出金カセット２６内に紙幣を補充する場合は運用カセット２７から、各入出金カセット２６に紙幣が搬送される。
【００２２】
２８はリジェクト部であり、一時保留部２４から入出金カセット２６に搬送する場合、もしくは入出金カセット２６から出金口２３に紙幣を搬送する場合、鑑別部２５で金種不明や搬送異常と鑑別されたリジェクト券が搬送される。２９は整形手段としてのアイロン部であり、入金口２２から分離した紙幣の皺を伸ばす機能を有する。
【００２３】
（動作）
以上の構成により、実施例１の窓口現金処理装置は以下のように動作する。以下、図３の動作フローチャート図、図４および図６の制御部の画面に表示される画面例、図５の窓口現金処理機１１の操作表示部に表示される画面例を用いて詳細な動作を説明する。なお、実施例１の窓口現金処理装置では、鑑別部２５の鑑別結果により金種不明や搬送異常となりリジェクトされた紙幣を再計数するときにアイロン部２９にて紙幣の皺を伸ばすようになっている。
【００２４】
先ず、オペレータは図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ４１ａ〜Ｓ４１ｃ）。
【００２５】
オペレータは入金紙幣を入金口２２に投入する（ステップＳ４２ａ）。
窓口現金処理機１１は入金口２２のシャッタを閉めて（ステップＳ４２ｂ）、最初の計数かどうかを判定し（ステップＳ４２ｃ）、最初の計数であるので、鑑別部２５が正常券と判断した場合は一時保留部２４に搬送し、金種不明や搬送異常と判断されたリジェクト券を出金口２３にリジェクト搬送する（ステップＳ４３）。なお、最初の計数を行う場合は、正常な紙幣が多いことを考慮し処理の高速化のためにアイロン部２９による皺を伸ばす処理は行わないようにしている。
【００２６】
計数が終了すると正常券を計数した金額を図５のように窓口現金処理機１１の操作表示部２１に表示するとともに制御部１２にも通知する（ステップＳ４４ａ）。制御部１２は通知されたデータにより図６のような入金結果画面を制御部１２の操作画面に表示する。本例では、正常な万円券が１５０枚入金され、１５０万円の入金があったことを示す。
【００２７】
出金口２３にリジェクト紙幣がある場合は（ステップＳ４４ｂ）、出金口２３のシャッタを開けて（ステップＳ４４ｃ）、リジェクト紙幣を受取らせた後（ステップＳ４５ａ）、出金口２３のシャッタを閉じ（ステップＳ４５ｂ）、入金口２２のシャッタを開けて紙幣の再投入を誘導する（ステップＳ４５ｃ）。
【００２８】
オペレータは抜き取ったリジェクト紙幣を入金口２２に再投入する場合は（ステップＳ４５ｄ）、ステップＳ４２ａに戻りリジェクト紙幣を入金口２２に再投入する。
【００２９】
入金口２２のシャッタを閉めて（ステップＳ４２ｂ）、再度計数であるので（ステップＳ４２ｃ）、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ４６）。
【００３０】
計数が終了すると、一時保留部２４に搬送した金額を図５に示すよう窓口現金処理機１１の操作表示部２１に更新して表示するとともに制御部１２にも通知する（ステップＳ４４ａ）。制御部１２は通知されたデータを図６に示す入金結果画面に更新して表示する。
【００３１】
出金口２３にリジェクト紙幣がある場合は（ステップＳ４４ｂ）、出金口シャッタを開けて（ステップＳ４４ｃ）、リジェクト紙幣を受取らせた後（ステップＳ４５ａ）、出金口シャッタを閉じ（ステップＳ４５ｂ）、入金口シャッタを開けて（ステップＳ４５ｃ）、紙幣の再投入を誘導する（ステップＳ４５ｄ）。
【００３２】
オペレータが制御部１２に表示した入金金額を確認し、再投入しない場合は、制御部１２から完了を指示すると（ステップＳ４７ａ）、入金口シャッタを閉めて（ステップＳ４７ｂ）、一時保留部２４の紙幣を各金種のカセットに搬送する（ステップＳ４７ｃ）。
【００３３】
（実施例１の効果）
以上詳細に述べたように実施例１の窓口現金処理装置によれば、紙幣の皺を伸ばすアイロン部を備え、リジェクトされた紙幣を再計数する際にアイロン部により皺を伸ばすようにしたので、皺を伸ばす必要のあるリジェクト紙幣のみをアイロン部により皺を伸ばすことができ、処理を遅くすることなく、ジャムの発生も少なくすることができる。
【実施例２】
【００３４】
（構成）
実施例２の窓口現金処理システムおよび窓口現金処理装置の構成は、実施例１の構成と同様であるので、簡略化のためにその詳細な説明は省略する。
【００３５】
（動作）
以上の構成により、実施例２の窓口現金処理装置は以下のように動作する。以下、図７の動作フローチャート図を用いて詳細な動作を説明する。なお、実施例２の窓口現金処理装置では、鑑別部２５の鑑別結果により金種不明や搬送異常となりリジェクトされた紙幣のうち皺が原因でリジェクトされた紙幣を再計数するときにアイロン部２９にて紙幣の皺を伸ばすようになっている。
【００３６】
先ず、オペレータは実施例１と同様、図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ７１ａ〜Ｓ７１ｃ）。
【００３７】
オペレータは入金紙幣を入金口２２に投入する（ステップＳ７２ａ）。
窓口現金処理機１１は入金口２２のシャッタを閉めて（ステップＳ７２ｂ）、最初の計数かどうかを判定し（ステップＳ７２ｃ）、最初の計数であるので、鑑別部２５が正常券と判断した場合は一時保留部２４に搬送し、金種不明や搬送異常と判断されたリジェクト券を出金口２３にリジェクト搬送する（ステップＳ７３）。なお、最初の計数を行う場合は、正常な紙幣が多いことを考慮し処理の高速化のためにアイロン部２９による皺を伸ばす処理は行わないようにしている。
【００３８】
計数が終了すると正常券を計数した金額を図５のように窓口現金処理機１１の操作表示部２１に表示するとともに制御部１２にも通知する（ステップＳ７４ａ）。制御部１２は通知されたデータにより図６のような入金結果画面を制御部１２の操作画面に表示する。
【００３９】
出金口２３にリジェクト紙幣がある場合は（ステップＳ７４ｂ）、出金口２３のシャッタを開けて（ステップＳ７４ｃ）、リジェクト紙幣を受取らせた後（ステップＳ７５ａ）、出金口２３のシャッタを閉じ（ステップＳ７５ｂ）、入金口２２のシャッタを開けて紙幣の再投入を誘導する（ステップＳ７５ｃ）。
【００４０】
オペレータは抜き取ったリジェクト紙幣を入金口２２に再投入する場合は（ステップＳ７５ｄ）、ステップＳ７２ａに戻りリジェクト紙幣を入金口２２に再投入する。
【００４１】
入金口２２のシャッタを閉めて（ステップＳ７２ｂ）、再計数の場合であるので（ステップＳ７２ｃ）、前回の入金リジェクトの要因が紙幣の皺による金種不明、搬送異常等の場合、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ７６）。
【００４２】
なお、入金リジェクトの要因が紙幣の皺であるかどうかの判定を行うリジェクト要因判定手段としては、例えば、紙幣の画像をスキャンし暗いところの割合により判定するようにしてもよいし、画像や磁気等の特徴は一致しているがサイズが小さい場合を皺によるリジェクトと判定するようにすればよい。
【００４３】
計数が終了すると、一時保留部２４に搬送した金額を図５に示すよう窓口現金処理機１１の操作表示部２１に更新して表示するとともに制御部１２にも通知する（ステップＳ７４ａ）。制御部１２は通知されたデータを図６に示す入金結果画面に更新して表示する。
【００４４】
出金口２３にリジェクト紙幣がある場合は（ステップＳ７４ｂ）、出金口シャッタを開けて（ステップＳ７４ｃ）、リジェクト紙幣を受取らせた後（ステップＳ７５ａ）、出金口シャッタを閉じ（ステップＳ７５ｂ）、入金口シャッタを開けて（ステップＳ７５ｃ）、紙幣の再投入を誘導する（ステップＳ７５ｄ）。
【００４５】
オペレータが制御部１２に表示した入金金額を確認し、再投入しない場合は、制御部１２から完了を指示すると（ステップＳ７７ａ）、入金口シャッタを閉めて（ステップＳ７７ｂ）、一時保留部２４の紙幣を各金種のカセットに搬送する（ステップＳ７７ｃ）。
【００４６】
（実施例２の効果）
以上詳細に述べたように実施例２の窓口現金処理装置によれば、紙幣の皺を伸ばすアイロン部を備え、リジェクトされた紙幣を再計数する場合で、前回の入金リジェクトの要因が紙幣の皺による金種不明、搬送異常等の場合、アイロン部により皺を伸ばすようにしたので、皺を伸ばす必要のあるリジェクト紙幣のみをアイロン部により皺を伸ばすことができ、さらに処理を遅くすることなく、ジャムの発生も少なくすることができる。
【実施例３】
【００４７】
（構成）
実施例３の窓口現金処理システムおよび窓口現金処理装置の構成は、実施例１の構成と同様であるので、簡略化のためにその詳細な説明は省略する。
【００４８】
（動作）
以上の構成により、実施例３の窓口現金処理装置は以下のように動作する。以下、図８の動作フローチャート図を用いて詳細な動作を説明する。なお、実施例３の窓口現金処理装置では、鑑別部２５の鑑別結果により金種不明や搬送異常となりリジェクトが発生した場合、以降の鑑別紙幣をアイロン部２９にて皺を伸ばすようになっている。
【００４９】
先ず、オペレータは実施例１と同様、図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ８１ａ〜Ｓ８１ｃ）。
【００５０】
オペレータは入金紙幣を入金口２２に投入する（ステップＳ８２ａ）。
窓口現金処理機１１は入金口２２のシャッタを閉めて（ステップＳ８２ｂ）、最初の計数かどうかを判定し（ステップＳ８２ｃ）、最初の計数であるので、鑑別部２５が正常券と判断した場合は一時保留部２４に搬送し、金種不明や搬送異常と判断されたリジェクト券を出金口２３にリジェクト搬送する。このとき、前述のリジェクト要因判定手段により皺による金種不明、搬送異常等でリジェクトとされた場合、それ以降の紙幣はアイロン部２９で皺を伸ばしながら計数を行う（ステップＳ８３）。
【００５１】
計数が終了すると正常券を計数した金額を図５のように窓口現金処理機１１の操作表示部２１に表示するとともに制御部１２にも通知する（ステップＳ８４ａ）。制御部１２は通知されたデータにより図６のような入金結果画面を制御部１２の操作画面に表示する。
【００５２】
出金口２３にリジェクト紙幣がある場合は（ステップＳ８４ｂ）、出金口２３のシャッタを開けて（ステップＳ８４ｃ）、リジェクト紙幣を受取らせた後（ステップＳ８５ａ）、出金口２３のシャッタを閉じ（ステップＳ８４ｂ）、入金口２２のシャッタを開けて紙幣の再投入を誘導する（ステップＳ８５ｃ）。
【００５３】
オペレータは抜き取ったリジェクト紙幣を入金口２２に再投入する場合は（ステップＳ８５ｄ）、ステップＳ８２ａに戻りリジェクト紙幣を入金口２２に再投入する。
【００５４】
入金口２２のシャッタを閉めて（ステップＳ８２ｂ）、再計数の場合であるので（ステップＳ８２ｃ）、前述のリジェクト要因判定手段により前回の入金リジェクトの要因が紙幣の皺による金種不明、搬送異常等と判定された場合、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ８６）。
【００５５】
計数が終了すると、一時保留部２４に搬送した金額を図５に示すよう窓口現金処理機１１の操作表示部２１に更新して表示するとともに制御部１２にも通知する（ステップＳ８４ａ）。制御部１２は通知されたデータを図６に示す入金結果画面に更新して表示する。
【００５６】
出金口２３にリジェクト紙幣がある場合は（ステップＳ８４ｂ）、出金口シャッタを開けて（ステップＳ８４ｃ）、リジェクト紙幣を受取らせた後（ステップＳ８５ａ）、出金口シャッタを閉じ（ステップＳ８５ｂ）、入金口シャッタを開けて（ステップＳ８５ｃ）、紙幣の再投入を誘導する（ステップＳ８５ｄ）。
【００５７】
オペレータが制御部１２に表示した入金金額を確認し、再投入しない場合は、制御部１２から完了を指示すると（ステップＳ８７ａ）、入金口シャッタを閉めて（ステップＳ８７ｂ）、一時保留部２４の紙幣を各金種のカセットに搬送する（ステップＳ８７ｃ）。
【００５８】
（実施例３の効果）
以上詳細に述べたように実施例３の窓口現金処理装置によれば、紙幣の皺を伸ばすアイロン部を備え、リジェクトの要因が紙幣の皺による金種不明、搬送異常等の場合、それ以降の計数においてアイロン部により皺を伸ばしながら計数するようにしたので、皺のある紙幣が入金されたときに予備的にアイロン部により皺を伸ばすことができ、必要以上に処理を遅くすることなく、ジャムの発生を少なくすることができる。
【実施例４】
【００５９】
（構成）
実施例４の窓口現金処理システムおよび窓口現金処理装置の構成は、実施例１の構成と同様であるので、簡略化のためにその詳細な説明は省略する。
【００６０】
（動作）
以上の構成により、実施例４の窓口現金処理装置は以下のように動作する。以下、図９の動作フローチャート図および図１０の制御部の取引操作画面例を用いて詳細な動作を説明する。なお、実施例４の窓口現金処理装置では、制御部１２からアイロン部２９による紙幣の皺を伸ばす指示があった場合、アイロン部２９にて紙幣の皺を伸ばす処理を施すようになっている。
【００６１】
先ず、オペレータは実施例１と同様、図１０に示した制御部１２の運用画面例の取引選択により「入金」を選択し、「紙幣の皺伸ばし」（１００）をチェックすると窓口現金処理機１１に入金取引開始の指示および紙幣の皺伸ばし有の指示がなされ、入金口２２の図示しないシャッタが開き、紙幣投入待ちの状態になる（ステップＳ９１ａ〜Ｓ９１ｃ）。
【００６２】
なお、紙幣の皺伸ばしの設定を窓口現金処理機１１の操作表示部２１を用いて行うようにしてもよい。このように、制御部１２による紙幣の皺伸ばしの有無を設定する手段や窓口現金処理機１１にて紙幣の皺伸ばしの有無を設定する手段が紙幣の皺伸ばしの有無を設定する整形有無設定手段となる。
【００６３】
オペレータは入金紙幣を入金口２２に投入する（ステップＳ９２ａ）。
窓口現金処理機１１は入金口２２のシャッタを閉めて（ステップＳ９２ｂ）、最初の計数かどうかを判定し（ステップＳ９２ｃ）、最初の計数であるので、制御部１２から指示された「皺伸ばし有無」に従い（ステップＳ９２ｃ）、皺伸ばし無しの指示があった場合は皺伸ばしせずに計数を行い（ステップＳ９３）、鑑別部２５が正常券と判断した場合は一時保留部２４に搬送し、金種不明や搬送異常と判断されたリジェクト券を出金口２３にリジェクト搬送する。
【００６４】
一方、皺伸ばし有の指示があった場合はアイロン部２９で紙幣の皺を伸ばしながら計数を行い、鑑別部２５が正常券と判断した場合は一時保留部２４に搬送し、金種不明や搬送異常と判断されたリジェクト券を出金口２３にリジェクト搬送する（ステップＳ９６）。
【００６５】
計数が終了すると正常券を計数した金額を図５のように窓口現金処理機１１の操作表示部２１に表示するとともに制御部１２にも通知する（ステップＳ９４ａ）。制御部１２は通知されたデータにより図６のような入金結果画面を制御部１２の操作画面に表示する。
【００６６】
出金口２３にリジェクト紙幣がある場合は（ステップＳ９４ｂ）、出金口２３のシャッタを開けて（ステップＳ９４ｃ）、リジェクト紙幣を受取らせた後（ステップＳ９５ａ）、出金口２３のシャッタを閉じ（ステップＳ９５ｂ）、入金口２２のシャッタを開けて紙幣の再投入を誘導する（ステップＳ９５ｃ）。
【００６７】
オペレータは抜き取ったリジェクト紙幣を入金口２２に再投入する場合は（ステップＳ９５ｄ）、ステップＳ９２ａに戻りリジェクト紙幣を入金口２２に再投入する。
【００６８】
そして、入金口２２のシャッタを閉めて（ステップＳ９２ｂ）、前述ステップＳ９２ｃと同様、制御部１２からの皺伸ばし有無の指示に従い、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ９３、Ｓ９６）。
【００６９】
計数が終了すると、一時保留部２４に搬送した金額を図５に示すよう窓口現金処理機１１の操作表示部２１に更新して表示するとともに制御部１２にも通知する（ステップＳ９４ａ）。制御部１２は通知されたデータを図６に示す入金結果画面に更新して表示する。
【００７０】
出金口２３にリジェクト紙幣がある場合は（ステップＳ９４ｂ）、出金口シャッタを開けて（ステップＳ９４ｃ）、リジェクト紙幣を受取らせた後（ステップＳ９５ａ）、出金口シャッタを閉じ（ステップＳ９５ｂ）、入金口シャッタを開けて（ステップＳ９５ｃ）、紙幣の再投入を誘導する（ステップＳ９５ｄ）。
【００７１】
オペレータが制御部１２に表示した入金金額を確認し、再投入しない場合は、制御部１２から完了を指示すると（ステップＳ９７ａ）、入金口シャッタを閉めて（ステップＳ９７ｂ）、一時保留部２４の紙幣を各金種のカセットに搬送する（ステップＳ９７ｃ）。
【００７２】
（実施例４の効果）
以上詳細に述べたように実施例４の窓口現金処理装置によれば、紙幣の皺を伸ばすアイロン部を備え、制御部の指示に基づきアイロン部にて紙幣の皺伸ばしを行いながら計数を行うようにしたので、オペレータの判断により紙幣の皺伸ばし処理を行うか否かを設定することができ、処理を遅くすることなく、ジャムの発生も少なくすることができる。
【実施例５】
【００７３】
（構成）
実施例５の窓口現金処理システムおよび窓口現金処理装置の構成は、実施例１の構成と同様であるので、簡略化のためにその詳細な説明は省略する。
【００７４】
（動作）
以上の構成により、実施例５の窓口現金処理装置は以下のように動作する。以下、図１１の動作フローチャート図を用いて詳細な動作を説明する。なお、実施例５の窓口現金処理装置では、最初に判定した紙幣が特定の国の紙幣であった場合、以降の紙幣をアイロン部２９にて皺を伸ばすようになっている。
【００７５】
先ず、オペレータは実施例１と同様、図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ１１１ａ〜Ｓ１１１ｃ）。
【００７６】
オペレータは入金紙幣を入金口２２に投入する（ステップＳ１１２ａ）。
窓口現金処理機１１は入金口２２のシャッタを閉めて（ステップＳ１１２ｂ）、最初の計数であるので（ステップＳ１１２ｃ）、ステップＳ１１３に進み、最初に判定した紙幣の通貨国が皺伸ばしが必要な国であった場合、それ以降の紙幣をアイロン部２９で皺を伸ばしながら計数を行い、鑑別部２５が正常券と判断した場合は一時保留部２４に搬送し、金種不明や搬送異常と判断されたリジェクト券を出金口２３にリジェクト搬送する。なお、最初に判定した紙幣の通貨国が皺伸ばしが必要な国であった場合、当該最初に判定した紙幣も整形して後の処理を行うようにするとなおよい。
【００７７】
なお、国情報設定手段として、紙幣の通貨国が皺伸ばしが必要な国であるか否かは、紙幣の品質などから国ごとにあらかじめ設定しておき、制御部１２または窓口現金処理装置１１の記憶部に記憶しておくようにすればよい。
【００７８】
計数が終了すると正常券を計数した金額を図５のように窓口現金処理機１１の操作表示部２１に表示するとともに制御部１２にも通知する（ステップＳ１１４ａ）。制御部１２は通知されたデータにより図６のような入金結果画面を制御部１２の操作画面に表示する。
【００７９】
出金口２３にリジェクト紙幣がある場合は（ステップＳ１１４ｂ）、出金口２３のシャッタを開けて（ステップＳ１１４ｃ）、リジェクト紙幣を受取らせた後（ステップＳ１１５ａ）、出金口２３のシャッタを閉じ（ステップＳ１１５ｂ）、入金口２２のシャッタを開けて紙幣の再投入を誘導する（ステップＳ１１５ｃ）。
【００８０】
オペレータは抜き取ったリジェクト紙幣を入金口２２に再投入する場合は（ステップＳ１１５ｄ）、ステップＳ１１２ａに戻りリジェクト紙幣を入金口２２に再投入する。
【００８１】
そして、入金口２２のシャッタを閉めて（ステップＳ１１２ｂ）、初回計数で皺伸ばしが必要と判断されたときはアイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ１１２ｃ、Ｓ１１２ｄ、Ｓ１１６）。
【００８２】
計数が終了すると、一時保留部２４に搬送した金額を図５に示すよう窓口現金処理機１１の操作表示部２１に更新して表示するとともに制御部１２にも通知する（ステップＳ１１４ａ）。制御部１２は通知されたデータを図６に示す入金結果画面に更新して表示する。
【００８３】
出金口２３にリジェクト紙幣がある場合は（ステップＳ１１４ｂ）、出金口シャッタを開けて（ステップＳ１１４ｃ）、リジェクト紙幣を受取らせた後（ステップＳ１１５ａ）、出金口シャッタを閉じ（ステップＳ１１５ｂ）、入金口シャッタを開けて（ステップＳ１１５ｃ）、紙幣の再投入を誘導する（ステップＳ１１５ｄ）。
【００８４】
オペレータが制御部１２に表示した入金金額を確認し、再投入しない場合は、制御部１２から完了を指示すると（ステップＳ１１７ａ）、入金口シャッタを閉めて（ステップＳ１１７ｂ）、一時保留部２４の紙幣を各金種のカセットに搬送する（ステップＳ１１７ｃ）。
【００８５】
（実施例５の効果）
以上詳細に述べたように実施例５の窓口現金処理装置によれば、紙幣の皺を伸ばすアイロン部を備え、最初に判定した紙幣の通貨国が皺伸ばしが必要な場合、当該紙幣およびそれ以降計数する紙幣をアイロン部にて皺伸ばしを行いながら計数を行うようにしたので、国ごとの紙幣の品質に応じて紙幣の皺伸ばし処理を行うか否かを設定することができ、処理を遅くすることなく、ジャムの発生も少なくすることができる。
【実施例６】
【００８６】
（構成）
実施例６の窓口現金処理システムおよび窓口現金処理装置の構成は、実施例１の構成と同様であるので、簡略化のためにその詳細な説明は省略する。
【００８７】
（動作）
以上の構成により、実施例６の窓口現金処理装置は以下のように動作する。以下、図１２の動作フローチャート図および図１３の国選択画面例を用いて詳細な動作を説明する。なお、実施例６の窓口現金処理装置では、通貨国指定手段として制御部１２にて指定された国が皺を伸ばしが必要な国であった場合、アイロン部２９にて皺を伸ばすようになっている。
【００８８】
先ず、オペレータは実施例１と同様、図３に示した制御部１２の運用画面の取引選択により「入金」を選択した後に、表示される図１３の国選択画面から入金する紙幣の通貨国である「国」を選択すると窓口現金処理機１１に入金取引開始の指示がなされ、入金口２２の図示しないシャッタが開き、紙幣投入待ちの状態になる（ステップＳ１２１ａ〜Ｓ１２１ｃ）。
【００８９】
オペレータは入金紙幣を入金口２２に投入する（ステップＳ１２２ａ）。
窓口現金処理機１１は入金口２２のシャッタを閉めて（ステップＳ１２２ｂ）、計数を開始し、ステップＳ１２１ａにて指定された国が皺伸ばしが必要な国であった場合は、アイロン部２９で皺を伸ばしながら計数を行い、皺伸ばしが必要でない国であった場合は、皺を伸ばしをすることなく計数を行い、鑑別部２５が正常券と判断した場合は一時保留部２４に搬送し、金種不明や搬送異常と判断されたリジェクト券を出金口２３にリジェクト搬送する（ステップＳ１２３、Ｓ１２６）。なお、紙幣の通貨国が皺伸ばしが必要な国であるか否かは、実施例５と同様、紙幣の品質などから国ごとにあらかじめ設定しておき、制御部１２または窓口現金処理装置１１の記憶部に記憶しておくようにすればよい。
【００９０】
計数が終了すると正常券を計数した金額を図５のように窓口現金処理機１１の操作表示部２１に表示するとともに制御部１２にも通知する（ステップＳ１２４ａ）。制御部１２は通知されたデータにより図６のような入金結果画面を制御部１２の操作画面に表示する。
【００９１】
出金口２３にリジェクト紙幣がある場合は（ステップＳ１２４ｂ）、出金口２３のシャッタを開けて（ステップＳ１２４ｃ）、リジェクト紙幣を受取らせた後（ステップＳ１２５ａ）、出金口２３のシャッタを閉じ（ステップＳ１２５ｂ）、入金口２２のシャッタを開けて紙幣の再投入を誘導する（ステップＳ１２５ｃ）。
【００９２】
オペレータは抜き取ったリジェクト紙幣を入金口２２に再投入する場合は（ステップＳ１２５ｄ）、ステップＳ１２２ａに戻りリジェクト紙幣を入金口２２に再投入する。
【００９３】
そして、入金口２２のシャッタを閉めて（ステップＳ１２２ｂ）、指定された国が皺伸ばしが必要であるか否に応じて、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ１２２ｃ、Ｓ１２３、Ｓ１２６）。
【００９４】
計数が終了すると、一時保留部２４に搬送した金額を図５に示すよう窓口現金処理機１１の操作表示部２１に更新して表示するとともに制御部１２にも通知する（ステップＳ１２４ａ）。制御部１２は通知されたデータを図６に示す入金結果画面に更新して表示する。
【００９５】
出金口２３にリジェクト紙幣がある場合は（ステップＳ１２４ｂ）、出金口シャッタを開けて（ステップＳ１２４ｃ）、リジェクト紙幣を受取らせた後（ステップＳ１２５ａ）、出金口シャッタを閉じ（ステップＳ１２５ｂ）、入金口シャッタを開けて（ステップＳ１２５ｃ）、紙幣の再投入を誘導する（ステップＳ１２５ｄ）。
【００９６】
オペレータが制御部１２に表示した入金金額を確認し、再投入しない場合は、制御部１２から完了を指示すると（ステップＳ１２７ａ）、入金口シャッタを閉めて（ステップＳ１２７ｂ）、一時保留部２４の紙幣を各金種のカセットに搬送する（ステップＳ１２７ｃ）。
【００９７】
（実施例６の効果）
以上詳細に述べたように実施例６の窓口現金処理装置によれば、紙幣の皺を伸ばすアイロン部を備え、制御部にて入金する紙幣の通貨国として入力した国が皺伸ばしが必要な国の場合、アイロン部にて紙幣の皺伸ばしを行いながら計数を行うようにしたので、通貨国を判定することなく、国ごとの紙幣の品質に応じて紙幣の皺伸ばし処理を行うか否かを設定することができ、処理を遅くすることなく、ジャムの発生も少なくすることができる。
【実施例７】
【００９８】
（構成）
実施例７の窓口現金処理システムおよび窓口現金処理装置の構成は、実施例１の構成と同様であるので、簡略化のためにその詳細な説明は省略する。
【００９９】
（動作）
以上の構成により、実施例７の窓口現金処理装置は以下のように動作する。以下、図１４の動作フローチャート図を用いて詳細な動作を説明する。なお、実施例７の窓口現金処理装置では、通貨国指定手段として、窓口現金処理装置の設置時や保守時に、保守員が窓口現金処理装置の保守ユーティリティ等により設置した国、すなわち取り扱う紙幣の通貨国を設定できるようにし、当該設定された国が皺を伸ばしが必要な国であった場合、アイロン部２９にて皺を伸ばすようになっている。
【０１００】
先ず、オペレータは実施例１と同様、図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ１４１ａ〜Ｓ１４１ｃ）。
【０１０１】
オペレータは入金紙幣を入金口２２に投入する（ステップＳ１４２ａ）。
窓口現金処理機１１は入金口２２のシャッタを閉めて（ステップＳ１４２ｂ）、計数を開始し、設置時や保守時に設置国すなわち通貨国として保守員が指定した国が皺伸ばしが必要な国であった場合は、アイロン部２９で皺を伸ばしながら計数を行い、皺伸ばしが必要でない国であった場合は、皺伸ばしをすることなく計数を行い、鑑別部２５が正常券と判断した場合は一時保留部２４に搬送し、金種不明や搬送異常と判断されたリジェクト券を出金口２３にリジェクト搬送する（ステップＳ１４２ｃ、Ｓ１４３、Ｓ１４６）。なお、紙幣の通貨国が皺伸ばしが必要な国であるか否かは、実施例５と同様、紙幣の品質などから国ごとにあらかじめ設定しておき、制御部１２または窓口現金処理装置１１の記憶部に記憶しておくようにすればよい。
【０１０２】
計数が終了すると正常券を計数した金額を図５のように窓口現金処理機１１の操作表示部２１に表示するとともに制御部１２にも通知する（ステップＳ１４４ａ）。制御部１２は通知されたデータにより図６のような入金結果画面を制御部１２の操作画面に表示する。
【０１０３】
出金口２３にリジェクト紙幣がある場合は（ステップＳ１４４ｂ）、出金口２３のシャッタを開けて（ステップＳ１４４ｃ）、リジェクト紙幣を受取らせた後（ステップＳ１４５ａ）、出金口２３のシャッタを閉じ（ステップＳ１４５ｂ）、入金口２２のシャッタを開けて紙幣の再投入を誘導する（ステップＳ１４５ｃ）。
【０１０４】
オペレータは抜き取ったリジェクト紙幣を入金口２２に再投入する場合は（ステップＳ１４５ｄ）、ステップＳ１４２ａに戻りリジェクト紙幣を入金口２２に再投入する。
【０１０５】
そして、入金口２２のシャッタを閉めて（ステップＳ１４２ｂ）、設定された国が皺伸ばしが必要であるか否に応じて、アイロン部２９で紙幣の皺を伸ばしながら紙幣の計数を行い、鑑別部２５が正常券と判断した場合は、一時保留部２４に搬送し、金種不明や搬送異常と判断されたリジェクト券を出金口２３にリジェクト搬送する（ステップＳ１４２ｃ、Ｓ１４３、Ｓ１４６）。
【０１０６】
計数が終了すると、一時保留部２４に搬送した金額を図５に示すよう窓口現金処理機１１の操作表示部２１に更新して表示するとともに制御部１２にも通知する（ステップＳ１４４ａ）。制御部１２は通知されたデータを図６に示す入金結果画面に更新して表示する。
【０１０７】
出金口２３にリジェクト紙幣がある場合は（ステップＳ１４４ｂ）、出金口シャッタを開けて（ステップＳ１４４ｃ）、リジェクト紙幣を受取らせた後（ステップＳ１４５ａ）、出金口シャッタを閉じ（ステップＳ１４５ｂ）、入金口シャッタを開けて（ステップＳ１４５ｃ）、紙幣の再投入を誘導する（ステップＳ１４５ｄ）。
【０１０８】
オペレータが制御部１２に表示した入金金額を確認し、再投入しない場合は、制御部１２から完了を指示すると（ステップＳ１４７ａ）、入金口シャッタを閉めて（ステップＳ１４７ｂ）、一時保留部２４の紙幣を各金種のカセットに搬送する（ステップＳ１４７ｃ）。
【０１０９】
（実施例７の効果）
以上詳細に述べたように実施例７の窓口現金処理装置によれば、紙幣の皺を伸ばすアイロン部を備え、窓口現金処理装置の設置時や保守時に、保守員が窓口現金処理装置の保守ユーティリティ等により設置した国、すなわち取り扱う紙幣の通貨国を設定できるようにし、当該設定された国が皺を伸ばしが必要な国であった場合、アイロン部にて皺を伸ばすようにしたので、オペレータが介在することなく通貨国を設定でき、国ごとの紙幣の品質に応じて紙幣の皺伸ばし処理を行うか否かを設定することができ、処理を遅くすることなく、ジャムの発生も少なくすることができる。
【実施例８】
【０１１０】
（構成）
実施例８の窓口現金処理機の構成は、図１５に示したように、実施例１の構成に皺により入金リジェクトした紙幣を一時保留できるリジェクト紙幣一時保留部２９を設けている。その他の構成は、実施例１の構成と同様であるので、簡略化のためにその詳細な説明は省略する。
【０１１１】
（動作）
以上の構成により、実施例８の窓口現金処理装置は以下のように動作する。以下、図１６の動作フローチャート図を用いて詳細な動作を説明する。なお、実施例８の窓口現金処理装置では、リジェクト紙幣一時保留部を備え、皺伸ばしを行うことなく計数し、皺が原因のリジェクト紙幣をリジェクト紙幣一時保留部２４に格納した後、リジェクト紙幣一時保留部２４にリジェクト紙幣があるときは、アイロン部２９にて皺を伸ばしながら再計数行うようになっている。
【０１１２】
先ず、オペレータは実施例１と同様、図３に示した制御部１２の運用画面の取引選択により「入金」を選択すると窓口現金処理機１１に入金取引開始の指示がなされ、入金口２２の図示しないシャッタが開き、紙幣投入待ちの状態になる（ステップＳ１６１ａ〜Ｓ１６１ｃ）。
【０１１３】
オペレータは入金紙幣を入金口２２に投入する（ステップＳ１６２ａ）。
窓口現金処理機１１は入金口２２のシャッタを閉めて（ステップＳ１６２ｂ）、計数を開始し、皺伸ばしせずに計数を行う。そして、鑑別部２５が正常券と判断した場合は一時保留部２４に搬送し、リジェクト要因が皺による金種不明、搬送異常等のリジェクト券をリジェクト紙幣一時保留部３０に搬送する。その他のリジェクト券は出金口２３に搬送する（ステップＳ１６３ａ）。なお、皺によるリジェクト要因の紙幣だけでなく、全てのリジェクト紙幣をリジェクト紙幣一時保留部３０に搬送し、再計数するようにしてもよい。
【０１１４】
入金口２２からの計数が終了後、リジェクト紙幣一時保留部３０に紙幣がある場合は（ステップＳ１６３ｂ）、リジェクト紙幣一時保留部３０から紙幣を繰出してアイロン部２９で皺を伸ばしながら再計数を行う（ステップＳ１６３ｃ）。この皺伸ばしを行いながらの再計数にてリジェクトの場合は出金口２３へ搬送する。なお、本例では、リジェクト紙幣一時保留部３０を経由した皺伸ばし再計数は１回としているが複数回としてもよいし、制御部等から当該回数を指定できるようにしてもよい。
【０１１５】
計数が終了すると正常券を計数した金額を図５のように窓口現金処理機１１の操作表示部２１に表示するとともに制御部１２にも通知する（ステップＳ１６４ａ）。制御部１２は通知されたデータにより図６のような入金結果画面を制御部１２の操作画面に表示する。
【０１１６】
出金口２３にリジェクト紙幣がある場合は（ステップＳ１６４ｂ）、出金口２３のシャッタを開けて（ステップＳ１６４ｃ）、リジェクト紙幣を受取らせた後（ステップＳ１６５ａ）、出金口２３のシャッタを閉じ（ステップＳ１６５ｂ）、入金口２２のシャッタを開けて紙幣の再投入を誘導する（ステップＳ１６５ｃ）。
【０１１７】
オペレータは抜き取ったリジェクト紙幣を入金口２２に再投入する場合は（ステップＳ１６５ｄ）、ステップＳ１６２ａに戻りリジェクト紙幣を入金口２２に再投入する。
【０１１８】
そして、入金口２２のシャッタを閉めて（ステップＳ１６２ｂ）、皺伸ばしせずに再計数を行った後、リジェクト紙幣一時保留部３０に紙幣がある場合は（ステップＳ１６３ｂ）、リジェクト紙幣一時保留部３０から紙幣を繰出してアイロン部２９で皺を伸ばしながら再計数を行う（ステップＳ１６３ｃ）。この皺伸ばしを行いながらの再計数にてリジェクトの場合は出金口２３へ搬送する。
【０１１９】
計数が終了すると、一時保留部２４に搬送した金額を図５に示すよう窓口現金処理機１１の操作表示部２１に更新して表示するとともに制御部１２にも通知する（ステップＳ１６４ａ）。制御部１２は通知されたデータを図６に示す入金結果画面に更新して表示する。
【０１２０】
出金口２３にリジェクト紙幣がある場合は（ステップＳ１６４ｂ）、出金口シャッタを開けて（ステップＳ１６４ｃ）、リジェクト紙幣を受取らせた後（ステップＳ１６５ａ）、出金口シャッタを閉じ（ステップＳ１６５ｂ）、入金口シャッタを開けて（ステップＳ１６５ｃ）、紙幣の再投入を誘導する（ステップＳ１６５ｄ）。
【０１２１】
オペレータが制御部１２に表示した入金金額を確認し、再投入しない場合は、制御部１２から完了を指示すると（ステップＳ１６７ａ）、入金口シャッタを閉めて（ステップＳ１６７ｂ）、一時保留部２４の紙幣を各金種のカセットに搬送する（ステップＳ１６７ｃ）。
【０１２２】
（実施例８の効果）
以上詳細に述べたように実施例８の窓口現金処理装置によれば、紙幣の皺を伸ばすアイロン部と、皺によりリジェクトした紙幣を一時保留できるリジェクト紙幣一時保留部を設け、計数の際に皺によりリジェクトした紙幣をリジェクト紙幣一時保留部に格納し、計数終了後、当該リジェクト紙幣一時保留部に紙幣がある場合は、リジェクト紙幣一時保留部から紙幣を繰出してアイロン部により皺を伸ばしながら再計数を行うようにしたので、オペレータによる再投入の動作を最小限とすることができるとともに、処理を遅くすることなく、ジャムの発生も少なくすることができる。
【０１２３】
《その他の変形例》
以上の実施例の説明では、入金取引における紙幣の皺伸ばし処理の例を示したが、出金取引や整理計数動作においても同様に本発明を適用することができる。また、窓口現金処理機以外の現金自動預払機や券売機等の入金、出金機能を有する自動取引装置に適用することができる。
【０１２４】
また、以上の実施例５ないし実施例７の説明では、国ごとに皺伸ばしが必要か否かを設定するように説明したが、欧州、北米、南米など、複数の国をグループ化して皺伸ばしが必要か否かを設定するようにしてもよい。
【産業上の利用可能性】
【０１２５】
以上述べたように、本発明は、金融機関等の窓口に設置される現金処理装置およびに現金処理システムに広く利用することができる。
【符号の説明】
【０１２６】
１１  窓口現金処理装置
１２  制御部
１３  ホストコンピュータシステム
２１  操作表示部
２２  入金口
２３  出金口
２４  一時保留部
２５  鑑別部
２８  リジェクト部
２９  アイロン部
３０  リジェクト紙幣一時保留部
【図１】
2011123549.tif 000003
【図２】
2011123549.tif 000004
【図３】
2011123549.tif 000005
【図４】
2011123549.tif 000006
【図５】
2011123549.tif 000007
【図６】
2011123549.tif 000008
【図７】
2011123549.tif 000009
【図８】
2011123549.tif 000010
【図９】
2011123549.tif 000011
【図１０】
2011123549.tif 000012
【図１１】
2011123549.tif 000013
【図１２】
2011123549.tif 000014
【図１３】
2011123549.tif 000015
【図１４】
2011123549.tif 000016
【図１５】
2011123549.tif 000017
【図１６】
2011123549.tif 000018